(57)【特許請求の範囲】
【請求項１】
容器のガス取出弁に取り付けられる、ホースを接続するホース接続金具の入口部に、異物侵入防止用のフィルタを設けたホース接続金具のフィルタ構造であって、
前記フィルタは、円形の金属板に多数の微細孔が形成され、該金属板の外周の複数箇所に前記入口部の内径より大きい外径を有する爪部が突設された構造であり、前記金属板を前記入口部の段差部に当接させ、前記爪部を前記入口部の開口方向に折曲げた状態で該爪部の先端部を該入口部の内周面に係止させ、前記入口部の内周面は、開口方向に向かって拡張したテーパ面となっており、前記フィルタは、前記爪部の先端部を、前記入口部の内周面に、背圧方向に食い込みを深くするように食い込ませて係止されていることを特徴とするホース接続金具のフィルタ構造。
【請求項２】
前記微細孔は、プレス加工で形成したものであることを特徴とする請求項１記載のホース接続金具のフィルタ構造。
【発明の詳細な説明】
【０００１】
【発明の属する技術分野】
本発明は、ゴムホースをバルブ等の機器に接続するホース接続金具のフィルタ構造に関し、詳しくは、ＬＰガス（液化石油ガス）を供給する高圧ホースが取付けられるホース接続金具における異物侵入防止用のフィルタ構造に関するものである。
【０００２】
【従来の技術】
一般に、ＬＰガスを供給する高圧ホースのガス入口側には、圧力調整器、ガスメータ等の二次側供給機器への異物侵入を防ぐため、ホース接続金具内に異物侵入防止用のフィルタを設けている。
【０００３】
すなわち、図４に示すように、ガスボンベ等の容器（図示せず）に取付けられたガス取出弁１の出口側に、ホース３が取付けられたホース接続金具４が結合されている。ホース接続金具４は、本体部１１の基端部に入口部６が形成され、先端には竹の子状の軸部１１ａが形成され、入口部６と流路７との間の段差部８が形成された構造であり、軸部１１ａにホース３が取付けられている。
【０００４】
ホース接続金具４の入口部６には、異物侵入防止用のフィルタ１００が設けられている。このフィルタ１００は、図５（ａ）に示すように円形メッシュ状のもので、ホース接続金具４の入口部６と流路７との間の段差部８に当接され、外側から止めリング９で押さえている。止めリング９は、図５（ｂ）に示すように、径方向にばね性のあるもので、入口部６の内周面で縮められて摩擦係止されるようになっている。
【０００５】
【発明が解決しようとする課題】
ガスの流れは、通常時は、容器からガス取出弁１を通り、フィルタ１００を抜けてホース３から二次側供給機器に向かう矢印Ａ方向の流れであり、フィルタ１００は、ガス圧力で段差部８に押しつけられ、抜けることはない。
【０００６】
ところが、容器が複数個設置されている設備において、容器交換する際に二次側供給機器から容器の方向（図４の矢印Ｂ方向）にガスが流れ、これにより、フィルタ１００にガス圧力が背圧として負荷されることある。このとき、上述のような、従来のフィルタ構造においては、フィルタ１００が止めリング９の反発力で保持されているだけであるので、高圧の背圧に耐えられず、フィルタ１００が止めリング９と一緒にホース接続金具４から外れ、その結果、異物除去ができなくなることがある。また、止めリング９を必要とするため、部品点数も多く、組付けの作業も煩雑になるという問題がある。
【０００７】
本発明は、上述の点に着目してなされたもので、止めリングを用いることなく、フィルタがホース接続金具に確実に係止され、背圧により外れることがないホース接続金具のフィルタ構造を提供することを目的とする。
【０００８】
【課題を解決するための手段】
前記目的を達成するため、請求項１記載の発明は、容器のガス取出弁に取り付けられる、ホースを接続するホース接続金具の入口部に、異物侵入防止用のフィルタを設けたホース接続金具のフィルタ構造であって、前記フィルタは、円形の金属板に多数の微細孔が形成され、該金属板の外周の複数箇所に前記入口部の内径より大きい外径を有する爪部が突設された構造であり、前記金属板を前記入口部の段差部に当接させ、前記爪部を前記入口部の開口方向に折曲げた状態で該爪部の先端を該入口部の内周面に係止させ、前記入口部の内周面は、開口方向に向かって拡張したテーパ面となっており、前記フィルタは、前記爪部の先端部を、前記入口部の内周面に、背圧方向に食い込みを深くするように食い込ませて係止されていることを特徴とするものである。
【０００９】
このため、請求項１記載の発明では、微細孔でフィルタ機能を、爪部で固定機能を持たせることで一部品のフィルタのみでフィルタ構造を構成できる。また、爪部が内周面に食い込んで係止し、背圧により食い込みも深くなり、強い背圧でもフィルタが抜けることがなくなる。
【００１０】
また、請求項２記載の発明は、請求項１記載のホース接続金具のフィルタ構造であって、前記微細孔は、プレス加工で形成したものであることを特徴とするものである。
【００１１】
このため、請求項２記載の発明では、微細孔がプレス加工により簡単に形成できる。
【００１４】
【発明の実施の形態】
以下、本発明の実施の形態を図面に基づいて説明する。なお、図４と同一部材または同一機能のものは同一符号で示している。
【００１５】
図１に示すように、ガスボンベ等の容器１０の上部にガス取出弁１が取付けられている。このガス取出弁１は、容器１０の上部の取付部１５にねじ込まれるねじ部１６と、側部に突出する接続部１９と、ハンドル１８で開閉する弁１７とを備えている。
【００１６】
そして、接続部１９にホース接続金具４が結合されている。ホース接続金具４は、本体部１１の基端部に入口部６が形成され、先端には竹の子状の軸部１１ａが形成され、入口部６と流路７との間の段差部８が形成された構造であり、軸部１１ａに加締パイプ１４を介してホース３が取付けられている。入口部６の内周面６ａは、外に向って拡開したテーパ面となっている。本体部１１の外周にねじ１２が形成され、接続部１９の内周にねじ１３が形成され、このねじ１２、１３に締付けハンドル２０をねじ込むことにより、ホース接続金具４は締付け固定されている。ホース接続金具４とガス取出弁１との間にはパッキン２１が設けられて、気密構造となっている。
【００１７】
図２に示すように、ホース接続金具４の入口部６に本実施の形態のフィルタ２２が設けられている。このフィルタ２２は、図３に示すように、円形の金属板２３の外周に突出する爪部２４が等間隔に複数個形成され、かつ金属板２３には、外周部分２３ａを残して全面に微細孔２５を形成してフィルタ機能を持たせた構造のものである。金属板２３の外径は、入口部６の最奥の内径Ｒ１（段差部８の内径（流路７の孔径）に相当する）より若干大きく、かつ最奥の外径Ｒ２（段差部８の外径に相当する）より若干小さい径で形成されており、爪部２４は、その先端部２４ａに対応する外径が、入口部６の最奥外径Ｒ２より若干大きい径となるように形成されている。
【００１８】
このようなフィルタ２２は、プレス加工で爪部２４付きの金属板２３を形成し、同時にプレス加工で直径０．１〜０．３ｍｍ程度の微細孔２５を形成することにより製造できる。
【００１９】
上記構造のフィルタ２２を、ホース接続金具４の入口部６から押し込むと、爪部２４がテーパ状の内周面６ａに当たって入口部６の開口方向に強制的に折曲げられながら摺動し、図２に示すように段差部８に当接せしめられる。このとき、爪部２４の先端部２４ａが入口部６の内周面６ａに若干食い込んで係止された状態となる。そして、フィルタ２２にガスの背圧が矢印Ｂ方向に加わると、先端部２４ａは内周面６ａに強く食い込み、動かなくなる。
【００２０】
以上のように、本実施の形態では、円形の金属板２３に多数の微細孔２５を形成し、この金属板２３の外周に爪部２４を突設して構成されたフィルタ２２を入口部６に嵌め込み、爪部２４を折曲げた状態で入口部６の内壁に係止させるようにしたので、微細孔２５でフィルタ機能を、爪部２４で固定機能を持たせることができ、一部品のフィルタ２２のみでフィルタ構造を構成できると共に、微細孔は、直径０．１〜０．３ｍｍの孔をプレス加工により簡単に形成できる。さらに、爪部２４の先端部２４ａが入口部６の内周面６ａに食い込んで係止するため、背圧が強いほど食い込みも深くなり、強い背圧がかかってもフィルタ２２が抜けることがなくなる。
【００２１】
【発明の効果】
以上、詳述したように、請求項１記載の発明によれば、微細孔によりフィルタ機能を、爪部で固定機能を持たせることが可能となり、一部品のフィルタのみで異物侵入防止用のフィルタ構造を構成でき、部品点数の削減が可能となると共に、挿入工程も１回ですみ、組付けコストも削減できる。また、背圧方向に食い込みを深くするようにして爪部の先端部を入口部の内周面に食い込ませて係止させたので、背圧により食い込みも深くなり、強い背圧でもフィルタが抜けることがなくなる。
【００２２】
また、請求項２記載の発明によれば、微細孔を、プレス加工により穿設したので、請求項１記載の発明の効果に加えて、フィルタのプレス加工と同時に微細孔も簡単に形成できる。
【図面の簡単な説明】
【図１】本発明のホース接続金具のフィルタ構造の実施の形態を示す縦断側面図である。
【図２】本発明のホース接続金具のフィルタ構造の要部を示す縦断側面図である。
【図３】本発明のフィルタの正面図である。
【図４】従来のホース接続金具のフィルタ構造を示す縦断側面図である。
【図５】（ａ）および（ｂ）は、それぞれ従来のフィルタおよび止めリングを示す正面図である。
【符号の説明】
１  ガス取出弁
３  ホース
４  ホース接続金具
６  入口部
６ａ  内周面
８  段差部
１０  容器
２２  フィルタ
２３  金属板
２４  爪部
２４ａ  先端部（爪部の）
２５  微細孔
Ｂ  背圧方向
【図１】
0003857495.tif 000002
【図２】
0003857495.tif 000003
【図３】
0003857495.tif 000004
【図４】
0003857495.tif 000005
【図５】
0003857495.tif 000006